(57)【要約】調整可能なプライヤ・レンチは、ハンドル（１２）及び対抗する静止つかみ部（１３）を有する固定部材（１１）、固定部材（１１）にピボット結合された共働つかみ部（１４）及び共働つかみ部（１４）にピボット結合されたレバー（１６）を含む。ガイド（２５）はハンドル（２５）に近接して取り付けられ、ロック・エレメント（２４）は相互及び傾斜動作のためにガイド（２５）上に配置される。少なくとも１つの付属のバイアス・エレメント（５１）は、ロック・エレメント（２４）を静止つかみ部への移動を促進させる。アーム（２１）はレバー（１６）にピボット結合され、ロック・エレメント（２４）がガイド（２５）に沿って往復移動できる第１状態とガイド（２５）に対し圧迫しロック・エレメント（２４）をガイド（２５）に対して摩擦係合して傾斜させる第２状態との間で移動可能にするために、カム（２３）はアーム（２１）及びロック・エレメント（２４）にピボット結合される。
2004535941.tif 000002
【特許請求の範囲】
【請求項１】
ハンドル及び対抗静止つかみ部を有する固定部材と、
前記固定部材にピボット結合された共働つかみ部と、
前記共働つかみ部にピボット結合されたレバーと、
前記ハンドルに近接する前記固定部材上に配置されたガイドと、
前記ガイドに配置され、相互移動及び傾斜移動のためのロック・エレメントと、
前記レバーにピボット結合されたアームと、
前記アームに及び前記ロック・エレメントにピボット結合され、前記ロック・エレメントが前記ガイドに沿って往復移動できる第１状態と前記ガイドに対し圧迫し前記ロック・エレメントを前記ガイドに対して摩擦係合へ傾斜させる第２状態との間で移動可能なカムと、
前記ガイドに対する前記カムの角度配置を調整し、前記アーム及び前記カムの１つによって運ばれる調整エレメントと、
から構成されることを特徴とする装置。
【請求項２】
前記調整エレメントは、前記アーム及び前記カムのうちの１つに対抗して相互に調整可能であることを特徴とする請求項１記載の装置。
【請求項３】
前記調整エレメントは、その回転に応じて相互に調整可能であることを特徴とする請求項１記載の装置。
【請求項４】
前記ロック・エレメントを前記静止つかみ部の方向へ促進させるバイアスをさらに含むことを特徴とする請求項１記載の装置。
【請求項５】
前記バイアスは、少なくとも１つの付属バイアス・エレメントによって提供されることを特徴とする請求項４記載の装置。
【請求項６】
前記調整エレメントは、ねじからなることを特徴とする請求項１記載の装置。
【請求項７】
前記調整エレメントは、ねじからなることを特徴とする請求項３記載の装置。
【請求項８】
前記調整エレメントは、前記アームによって運ばれることを特徴とする請求項１記載の装置。
【発明の詳細な説明】
【技術分野】
【０００１】
本発明は、自己ロックを行ない、調整可能なプライヤ・レンチに関する。
【背景技術】
【０００２】
本技術は、自己ロックする調整可能なプライヤ・レンチであり、かなり広い領域を占める目的物を把持しかつロックするのに適している。このようなプライヤにおける革新はトグル機構への改良によって大きく特徴付けられるが、それによってレンチのつかみ部は異なったサイズの目的物を受け入れるだけではなく、変化する作用力で目的物をロックすることができる。既存のトグル機構は、つかみ部間の距離を調整するのに使用する調整コンポーネントを使用し、その結果つかみ部は異なるサイズの目的物を把持しかつロックする。目的物のサイズにかかわらず、目的物にかみ合わせ、かつ把持することができるように予めつかみ部を調節して置かなければならない。その結果、ある目的物の把持から別のサイズを把持する際に、つかみ部の事前の調整が必要となるので、異なったサイズの目的物を一連の操作で把持する場合に、自己ロックを行なう調整可能な既存のプライヤ・レンチを片手で使用することができない。
【０００３】
この事前の調整は異なるサイズの目的物を一連の操作で把持するために必要であるが、技術的に重大な欠陥があり、そこで、一連の操作で事前の調整をする必要性がなく、選択された把持力をもって異なったサイズの目的物を一連の操作で把持するのに使用できる調整可能なレンチは、先行技術に対し著しい改善を示すことは明らかである。本発明はこれを達成し、組み立てるのが簡単で、かつ、予め一連の操作でつかみ部を調節する必要がなく、異なったサイズの目的物を一連の操作で把持するために片手で調整可能なプライヤ・レンチを職人に提供する。
【発明の開示】
【０００４】
上記及びその他の問題は少なくとも部分的に解決され、また、上記及びその他の目的は、改善された自己ロックする調整可能なプライヤ・レンチ中で実現されるが、それはハンドル及び対抗する静止つかみ部を有する固定部材、固定部材にピボット結合された共働つかみ部、及び共働つかみ部にピボット結合され、開位置と閉位置との間で移動可能なレバーを具備する。トグル・アセンブリはハンドルとレバーとの間に配置される。つかみ部は、レバーの開位置と閉位置との間での動きに応じて、開状態と閉状態との間で移動可能である。トグル・アセンブリの構造によって、つかみ部は異なったサイズの作業部品を受け入れることができ、レバーの閉位置中でその間に位置する作業部品に対してつかみ部をロックさせる。
【０００５】
トグル・アセンブリはガイド、ロック・エレメント、カム、アーム及び調整エレメントを含む。ガイドはハンドルに近接して取り付けられ、ロック・エレメントは相互にかつ傾斜する動きを与えるためにガイド上に配置される。少なくとも１つの付属のバイアス・エレメントが、静止つかみ部の方向へロック・エレメントを促進させる。アームはレバーにピボット結合される。カムは、ガイドに対して角度もって配置され、レバーの動きに応じてその開位置と閉位置との間、すなわちガイドに沿ってロック・エレメントが相互移動できる第１状態とガイドに対して圧迫しそのロック・エレメントをガイドに対して摩擦係合へ傾斜させる第２状態との間で移動可能となるようにアームに及びロック・エレメントにピボット結合される。
【０００６】
調整エレメントはアームとカムに関係しており、またレバーの閉位置においてつかみ部によって作業部品を介して加えられる締め付け力を変更するために、ガイドに対するカムの角度配置を調整するために相互方向に調整可能である。調整エレメントは、その回転に応じて相互の方角に移動可能であり、調整エレメントとアーム及びカムのうちの１つとの間の貫通付属部品がこれによく適合する。バイアス・エレメントは、ロック・エレメントと、ガイド及びハンドルの少なくとも１つとの間で保持されるスプリングを含む。
【好適な実施例の詳細な説明】
【０００７】
図１及び図２は、本発明に従う自己ロックを行ない、調整可能なプライヤ・レンチ１０の側面図である。レンチ１０は、その後方端にハンドル１２を、前方端に静止つかみ部１３を具備する延伸した固定部材１１を含む。共働つかみ部１４は、ピボット・ピン１５で固定部材１１にピボット結合（回転軸取り付け）される。つかみ部１４は、固定部材１１に形成されたくぼみに部分的に挟まれ、また、この配置を逆にすることもできる。レバー１６は、ピボット・ピン１７を備えるつかみ部１４にピボット結合され、後方へと伸びる。つかみ部１４は、レバー１６の前方の二股端によって部分的に取り付けられる、また、この配置を逆にすることもできる。
【０００８】
トグル・アセンブリ２０は、固定部材１１とレバー１６との間でつかみ部１３，１４の後方に配置される。トグル・アセンブリ２０の構成コンポーネントは、図２中に最もよく図示され、アーム２１、調整エレメント２２、カム２３、ロック・エレメント２４及びガイド２５を含む。ガイド２５は長く伸び、ハンドル１２の全長に亘ってそのほとんどが配置され、そしてハンドル１２に固定するためにその反対側が溶接される。ガイド２５は他の方法でハンドル１２に取り付けられてもよく、あるいはハンドル１２の中に又はハンドル１２とともに形成できることは当業者であれば容易に認識できるであろう。ガイド２５はロック・エレメント２４を通過させ、ハンドル１２に形成された細長い窪みに所在する。ロック・エレメント２４はガイド２５上に近接して配置され、二重矢印線Ａによって示されるようにガイド１２の実質的に全長に亘りつかみ部１３，１４の反対側へ滑走／相対的な移動を行ない、また二重矢印線Ｂによって一般に示されるような傾斜をつける移動を行なう。ハンドル１２及びガイド２５の少なくとも１つの構造がロック・エレメント２４の最も前進した位置を定義する、すなわちそれを越えてロック・エレメント２４は移動できず、この位置はレンチ１０の開状態にある図1に実質的に示される。ロック・エレメント２４は、ハンドル１２に形成された細長いくぼみに部分的に受け入れられる。ガイド２５は中心軸Ｘを定義し、ガイド２５上で傾きをつけるためのロック・エレメント２４の機能は、摩擦をもってガイド２５に係合するように軸Ｘに対し角度を付ける能力によって特徴づけられる。アーム２１は、ピン１７の後方にあるピン２６でレバー１６にピボット結合が行われる。アーム２１の前方端は、レバー１６に形成されたくぼみに部分的に受け入れられるが、この配置を逆にすることもできる。
【０００９】
カム２３の形は、一般に三角形で、一般に三角形の形状は、三角形状の先端３０，３１，３２及び側面３３，３４，３５によって特徴づけられる。カム２３は、前述したのと実質的に同じ結果を達成するために実質的に同じ方法で機能する他の適切な形状が提供されてもよい。先端３０は後方への先端と考えられ、また、先端３１，３２は前方への先端と考えられる。側面３３は、外へカーブした作用面３３Ａによって特徴づけられ、それは固定部材１１に面し、それに角度をなして配置される。アーム２１は、先端３１の延長端においてピボット・ピン２７でカム２３にピボット結合が行われ、また、ロック・エレメント２４は、先端３０の多少後方部でピボット・ピン２８によってカム２３にピボット結合が行われる。カム２３は、アーム２１の二股に分かれた後方端、及びロック・エレメント２４の二股に分かれた前方端によって部分的に受け入れられ、そして、これらの配置の各々は逆にすることもできる。
【００１０】
アーム２１の伸張部４０は先端３２に対抗し一般にその前方にあるが、さらに詳しくは、先端３２に近接する側面３４の前方にある。貫通口が伸張部４０を通って伸び、調整エレメント２２を貫通して配置し、そのエレメントは伸張部４０の前方部に位置する頭部４２及び先端３２に面する対抗作用端４３を含み、さらに詳しくはそれは伸張部４０の後方部の先端３２に近接する側面３４に面する。作用端４３は、二重矢印ラインＣによって示されるように、調整エレメント２２の回転に応じて先端３２に近接する側面３４に対して相互の方向に移動可能であり、このような回転力は最適なように与えられる。調整エレメント２２の相互方向の移動を促進させるための他の構成が、ラチェット構成の配置等を含めて、使用される。調整エレメント２２は、もし所望するなら、カム２３がその自由又は遠位の先端に近接する伸張部４０に対し対抗及び相互に調整可能になるように同じように搭載することもできる。
【００１１】
レバー１６は、図１示される閉位置と図２示される開位置との間で移動可能である。レバー１６の開位置では、つかみ部１３，１４は開かれ、また、ロック・エレメント２４は前方端又はそうでない場合はその前方端に近接する場所に位置し、作用面３３Ａはガイド２５から距離を置きかつそれに対し角度をもって配置される。レバー１６がハンドル１２の方へ移動するに応じて、つかみ部１４は、つかみ部１３，１４がそれらの間に配置された作業部品をともに把持するまで、つかみ部１３へ移動し、アーム２１はピン２６でピボット回転して、カム２３がピン２８でガイド２５の方へピボット回転する。アーム２１及びカム２３がピボット回転するにつれ、作用面３３Ａはガイド２５の方へ移動し、そして作用面３３Ａ及びアーム２１のガイド２５に対する角度位置は徐々に減少する。つかみ部１３，１４がそれらの間にある作業部品を把持して、レバー１６がハンドル１２の方へ継続して動くことにより、作用面３３Ａがガイド２５に対面するポイントまで、トグル・アセンブリ２０はロック・エレメント２４を後方へスライドさせ、かつアーム２１及びカム２３をガイド２５の方へピボット回転させる。作用面３３Ａとガイド２５との間の接点で、カム２３はピボット回転してガイド２５からわずかに離れ、ロック・エレメント２４をガイド２５からピン２８で離し、それによってロック・エレメント２４を傾けさせかつガイド２５と摩擦係合させる。このように、カム２３はレバーとして作用し、ハンドル１２の方向へレバー１６に加えられ、アーム２１によってカム２３へ伝えられた力に応答して、ロック・エレメント２４を傾け、かつ、ガイド２５と摩擦係合させるように駆動する。この摩擦係合はロック・エレメント２４をガイド２５に摩擦をもってロックする。ハンドル１２の方向へレバー１６に継続して加えられた力に応答し、かつ、ロック・エレメント２４をガイド２５に摩擦でもってロックすることで、それらの間に位置する作業部品を介して、つかみ部１３，１４によって締め付け力が与えられ、レバー１６はその閉位置へ移動する。レバー１６の閉位置で、ピン２６，２７で生じるピボット作用に関連して、中心を越えたロック（over-the-center locking）がアーム２１に発生し、レバー１６をその閉位置でロックする。この過程は、つかみ部１３，１４の間に位置する作業部品のサイズに係わりなく生じる。レンチ１０を開くために、あるいは作業部品をつかみ部１３，１４から開放するために、レバー１６は力をもってその閉位置から移動させることのみが必要である。レバー１６にピボット結合された従来の開放レバー５０はトグル・アセンブリ２０の一部に対して作用するために、すなわちこの特定の例示ではその閉位置からレバー１６を引き出すためにカム２３に対して使用される。
【００１２】
レバー１６がその開位置にあり、ハンドル１２の方へ移動する場合、カム２３は、調整エレメント２２の作用端４３に対してピボット回転をする。この開始位置で、カム２３はガイド２５から間隔をもって配置され、作用面３３Ａはガイド２５に対して角度をもって配置される。カム２３が開始位置で調整エレメント２２の作用端４３に接するとき、ガイド２５からの距離及びガイド２５に対するカム２３の角度配置は、レバー１６が図１の閉位置にある場合、つかみ部１３，１４の間にある作業部品を介してつかみ部１３，１４によって与えられる締め付け力で決まる。開始位置で、カム２３がガイド２５により接近すればするほど、またカム２３の角度配置がガイド２５に対してより小さくなればなるほど、カム２３がガイド２５に係合する点及びロック・エレメント２４とガイド２５との間の一致した摩擦係合点はより先になる。開始位置で、カム２３がガイド２５からより離れるほど、またカム２３の角度配置がガイド２５に対してより大きくなればなるほど、カム２３がガイド２５に係合する点及びロック・エレメント２４とガイド２５との間の一致した摩擦係合点はより前になる。アーム２１とレバー１６との間に提供された中心を越えた締め付け動作及びつかみ部１３，１４の間に位置する作業部品を介して加えられる同時圧力は、摩擦係合点がロック・エレメント２４とガイド２５との間でより後方に発生すると減少し、また摩擦係合点がロック・エレメント２４とガイド２５との間でより前方に発生すると増加するので、締め付け力の調整は調整エレメント２２によって制御される。この観点から、作用端４３をカム２３の方向へ調整することによりカム３のガイド２５からの距離を増加させ、またガイド２５に対する作用３３Ａの角度配置を増加させ、それはレバー１６の閉位置においてつかみ部１３，１４によってそれらの間に位置する作業部品を介して加えられる締め付け力を増加させる結果となる。作用端４３をカム２３から離間させる方向へ調整することによりカム３のガイド２５からの距離を減少させ、またガイド２５に対する作用３３Ａの角度配置を減少させ、それはレバー１６の閉位置においてつかみ部１３，１４によってそれらの間に位置する作業部品を介して加えられる締め付け力を減少させる結果となる。ガイド２５に係合するより、所望するならレバー１６の閉位置において、摩擦係合がロック・エレメント２４とガイド２５との間で生じさせるために、カム２３及びハンドル１２を互いに係合する構成及び配置をとってもよい。簡単にするため、ガイド２５はハンドル１２の一部と考えてもよい。
【００１３】
張力ばね５１はガイド２５を取り囲み、ロック・エレメント２４、及びガイド２５及びハンドル１２の少なくとも１つによって補足される。ばね５１は外方向へのバイアスを与え、ロック・エレメント２４をつかみ部１３，１４の方向へ動かす。ばね５１によってロック・エレメント２４へ与えられる作用によって、利用者はレバー１６及びつかみ部１３，１４を容易に開くことを可能にする。ばね５１はロック・エレメント２４と直接影響し合うように搭載されるが、つかみ部１３，１４の方向へロック・エレメント２４にバイアスを与えるためにトグル２０の他の一部に作用する方法で取り付けられてよい。ばね５１に加えてあるいはその代わりに、張力ばねをトグル・アセンブリ２０と、レバー１６の前方端、つかみ部１３、つかみ部１４又は固定部材１１に沿ったその前方端のある部分の１つと、の間に、ロック・エレメント２４をつかみ部１３，１４の方向へバイアスするようにロック・エレメント２４又はトグル・アセンブリ２０の他の一部に対し直接引っ張るために設けてもよい。もし必要なら、張力ばねの組み合わせを使用してもよい。
【００１４】
図３を参照して、レンチ１０の概観が図示され、それは開いた状態であり、６０で示されるリリース・レバーの別の実施例を装備する。リリース・レバー６０はレバー１６の前方端でピボット接合され、その前方端に近接した位置に持ち上げアスペクト６１を含む。図１に示されるようなレバー１６の閉位置において、レバー６０は固定部材１１の方向へピボット回転し、それはレバー１６をその閉位置からてこの作用で持ち上げるようにロック。エレメント２４に対しアスペクト６１を駆動する。レバー６０は、ガイド２５に対し、あるいは固定部材１１の他の部分に対してアスペクト６１をピボット回転するように構成及び配置してもよい。
【００１５】
図４を参照して、本発明に関連して使用される結合アセンブリのロック・エレメント７０及びガイド７１の他の実施例を示す。ロック・エレメント７０及びガイド７１は、ロック・エレメント２４及びガイド２５と構造及び機能において共通する。しかしながら、レンチ１０のロック・エレメント２４及びガイド２５と異なり、ガイド７１は対抗するいずれかの面が面取りされた表面７２，７３に形成され、またガイド７１は丸い下部端７４に形成され、さらに実質的に平坦な上端７５を有するガイド７１に作成される。ガイド７１はロック・エレメント７０の開口部７６を通過し、ガイド７１の断面と同じ形状を有する。ガイド７１にロックしている状態では、面取りされた表面７２，７３、丸い下部端７４及び実質的に平坦な上端７５の結合が極めて驚くべきほど強固な摩擦係合を開口部７６に提供し、このような摩擦係合はしっかりかつ強固に維持し、ロック・エレメント７０をガイド７１の摩擦係合から故意にピボット回転する動作を行なうこと以外、容易く揺れたり開放されたりすることはない。
【００１６】
本発明は、好適な実施例に従って上述された。しかしながら、本技術分野の当業者は、本発明の性質及び範囲から逸脱せずに、記述された実施例中に変更及び修正を行なえることを認識するであろう。例えば、ここに記述されるようなレンチ１０の様々なコンポーネント間のピボットのような取り付け具はピボット・ピンで各々装着される。本技術に精通した者はピボット取り付けを提供する他の方法を用いることができることをよく理解しているであろう。説明する目的のためにここに選択された実施例への様々な変更及び修正は、当業者には容易に想到できるであろう。そのような修正及び多様性は発明の精神から逸脱しない範囲で、それらは本発明の範囲内に含まれると解釈される。
【００１７】
当業者が理解し実施することができる程度に本発明を明瞭かつ簡潔に十分に記述された。
【図面の簡単な説明】
【００１８】
【図１】本発明に従う自己ロックを行ない、調整可能なプライヤ・レンチの側面図であり、レンチはリリース・レバーを有し、閉じられた状態に示される。
【図２】図１に示すレンチの開いた状態の側面図である。
【図３】図１と非常によく似た概観を示し、リリース・レバーの別の実施例をさらに図示する。
【図４】ガイドに配置されたロック・エレメントの部分図である。
【図１】
2004535941.tif 000003
【図２】
2004535941.tif 000004
【図３】
2004535941.tif 000005
【図４】
2004535941.tif 000006
【国際公開パンフレット】
2004535941.tif 000007
2004535941.tif 000008
2004535941.tif 000009
2004535941.tif 000010
2004535941.tif 000011
2004535941.tif 000012
2004535941.tif 000013
2004535941.tif 000014
2004535941.tif 000015
2004535941.tif 000016
2004535941.tif 000017
2004535941.tif 000018
2004535941.tif 000019
2004535941.tif 000020
2004535941.tif 000021
2004535941.tif 000022
2004535941.tif 000023
2004535941.tif 000024
2004535941.tif 000025
2004535941.tif 000026
2004535941.tif 000027
2004535941.tif 000028
2004535941.tif 000029
2004535941.tif 000030
2004535941.tif 000031
2004535941.tif 000032
2004535941.tif 000033
2004535941.tif 000034
2004535941.tif 000035
2004535941.tif 000036
2004535941.tif 000037
2004535941.tif 000038
【国際公開パンフレット（コレクトバージョン）】
2004535941.tif 000039
2004535941.tif 000040
【国際公開パンフレット（コレクトバージョン）】
2004535941.tif 000041
2004535941.tif 000042
【国際調査報告】
2004535941.tif 000043
2004535941.tif 000044